(57)【要約】【課題】簡易な構成によって、様々な種類の電子機器である接続対象機器を接続可能であり、かつ、外部電気機器が接続された場合に邪魔にならないような、電子機器及びストラップを提供することにある。【解決手段】携帯型ゲーム機１は、筐体と、前記筐体に設けられるストラップ取付部３と、を有し、ストラップ取付部３には、接続対象機器への電力供給が可能な電力供給端子、前記接続対象機器との情報信号の入出力が可能な信号入出力端子のいずれかが設けられている端子部を含んでいる。【選択図】図１
2011109608.tif 000002
【特許請求の範囲】
【請求項１】
筐体と、
前記筐体に設けられるストラップ取付部と、を有し、
前記ストラップ取付部には、少なくとも、接続対象機器への電力供給が可能な電力供給端子、前記接続対象機器との情報信号の入出力が可能な信号入出力端子のいずれかが設けられている端子部を含む
電子機器。
【請求項２】
前記ストラップ取付部は、
前記端子部と、
前記端子部と間隙を有して形成される側壁部と、を有し、
前記端子部には、外周部に複数の端子が並べられて形成されている
請求項１に記載の電子機器。
【請求項３】
ストラップが接続された場合に前記ストラップを制御可能な制御部を有し、
前記端子部の複数の端子は、前記制御部と電気的に接続されている
請求項２に記載の電子機器。
【請求項４】
前記端子部は、前記複数の端子と前記制御部とを接続する信号線がその内部に配線されている
請求項３に記載の電子機器。
【請求項５】
前記端子部は、
その外周面に前記端子の１つが形成される第１の部分と、
前記第１の部分よりも大きく外部方向に張出しており、その外周面に前記端子の１つが形成される第２の部分と、を有する、
請求項４に記載の電子機器。
【請求項６】
前記ストラップ取付部は、
前記端子部と、
前記筐体の第１の面から第２の面に抜ける貫通孔を形成する側壁部と、を有し、
前記端子部は、前記第１の面側の側壁部に形成され、
前記端子部は、前記側壁部を一周する複数の端子が並べられて形成される
請求項１に記載の電子機器。
【請求項７】
ストラップが接続された場合に前記ストラップを制御可能な制御部を有し、
前記端子部の複数の端子は、前記制御部と電気的に接続されている
請求項６に記載の電子機器。
【請求項８】
前記制御部は、前記ストラップ取付部に前記接続対象機器が取り付けられた際に、
前記端子部を介して前記接続対象機器と情報通信を行う
請求項３、４、５又は７に記載の電子機器。
【請求項９】
前記端子部は、
第１の電源端子と、
第２の電源端子と、
第１の信号端子と、
第２の信号端子と、を有する
請求項１〜８いずれか１項に記載の電子機器。
【請求項１０】
前記制御部は、接続対象機器が接続した場合に、
前記第１の信号端子及び前記第２の信号端子を用いて前記接続対象機器と情報通信し、
前記接続対象機器は、接続対象機器が接続した場合に、前記第１の電源端子及び前記第２の電源端子によって、接続対象機器に電力が供給される
請求項９に記載の電子機器。
【請求項１１】
ストラップ本体と、
ストラップ取付部に形成された端子部に把持状態となることによって、ストラップ側端子と前記端子部とが電気的に接続されるストラップ側コネクタ部と、
一端が前記ストラップ側コネクタと接続され、他端が前記ストラップ本体と接続されて、前記ストラップ側コネクタの前記ストラップ側端子部と前記ストラップ本体の電子部品とを電気的に接続するストラップコードと、を有する
ストラップ。
【請求項１２】
前記ストラップ側コネクタ部は、端子部を収容可能な収納部を有し、
前記収納部には、端子部に形成された端子と対応する位置に端子部が形成され、
前記端子部は、
第１の電源端子と、
第２の電源端子と、
第１の信号端子と、
第２の信号端子と、を有する
請求項１１に記載のストラップ。
【請求項１３】
前記第１の電源端子と、前記第２の電源端子と、前記第１の信号端子と、前記第２の信号端子の少なくとも１つが形成される収納部の部分は、他よりも大きく形成される
請求項１２に記載のストラップ。
【発明の詳細な説明】
【技術分野】
【０００１】
本発明は携帯型ゲーム機、ＰＤＡ、携帯電話機、携帯用テレビ、携帯用ラジオ等の電子機器及びこれに接続されるストラップに関する。
【背景技術】
【０００２】
特許文献１には、通信用のコードの一端が電子機器に接続され、更に、通信用のコードの他端がコネクタに接続され、このコネクタにストラップが接続されているストラップユニットを有する電子機器が開示されている。
また、特許文献２には、通信用のコードの一端が電子機器に接続され、通信用のコードの他端がコネクタに接続され、このコネクタが電子機器に接続されたストラップに接続されている電子機器が開示されている。
【先行技術文献】
【特許文献】
【０００３】
【特許文献１】特開２００８―９６６１１号公報
【特許文献２】特開２００８―９８８８２号公報
【発明の概要】
【発明が解決しようとする課題】
【０００４】
しかしながら、特許文献１に記載の方法においてはストラップユニットが常に電子機器の本体であるカメラと接続されており、取り外しできず邪魔になるという不利益がある。
また、特許文献２に記載の方法においては、コネクタ及びコードは取り外しが可能であるものの、コードとストラップがそれぞれ電子機器の本体に接続されており、２ヵ所もの接続部を必要とするという不利益がある。
【０００５】
本発明は、簡易な構成によって、様々な種類の電子機器である接続対象機器を接続可能であり、かつ、外部電気機器が接続された場合に邪魔にならないような、電子機器及びストラップを提供することにある。
【課題を解決するための手段】
【０００６】
本発明の電子機器は、筐体と、前記筐体に設けられるストラップ取付部と、を有し、前記ストラップ取付部には、少なくとも、接続対象機器への電力供給が可能な電力供給端子、前記接続対象機器との情報信号の入出力が可能な信号入出力端子のいずれかが設けられている端子部を含む。
【０００７】
本発明のストラップは、ストラップ本体と、ストラップ取付部に形成された端子部に把持状態となることによって、ストラップ側端子と前記端子部とが電気的に接続されるストラップ側コネクタ部と、一端が前記ストラップ側コネクタと接続され、他端が前記ストラップ本体と接続されて、前記ストラップ側コネクタのストラップ側端子と前記ストラップ本体の電子部品とを電気的に接続するストラップコードと、を有する。
【発明の効果】
【０００８】
本発明によると、簡易な構成によって、様々な種類の電子機器である接続対象機器を接続可能であり、かつ、外部電気機器が接続された場合に邪魔にならないような、電子機器及びストラップを提供することができる。
【図面の簡単な説明】
【０００９】
【図１】本発明の実施形態に係る携帯型ゲーム機及びストラップの外観を示す斜視図である。
【図２】本実施形態の制御系を説明するブロック図である。
【図３】携帯側端子部とストラップ側端子部との接続方法の説明図である。
【図４】図３のストラップ側コネクタ部を携帯側端子部に取り付ける方法の説明図である。
【図５】第２の実施の形態の説明図である。
【図６】第３の実施の形態の説明図である。
【図７】ストラップ側コネクタ部とストラップ取付部との他の取付方法の説明図である。
【図８】第５の実施の形態の説明図である。
【発明を実施するための形態】
【００１０】
以下、発明を実施するための最良の形態（以下実施形態とする）について説明する。
なお、説明は以下の順序で行う。
１．第１の実施の形態
２．第２の実施の形態
３．第３の実施の形態
４．第４の実施の形態
５．第５の実施の形態
【００１１】
＜１．第１の実施の形態＞
［本発明の実施形態の外観図］
図１は、本発明の実施形態に係る携帯型ゲーム機１及びストラップ本体１３の外観を示す斜視図である。
【００１２】
なお、携帯型ゲーム機１は、携帯電子機器の一例である。
つまり、携帯型ゲーム機１は、ＰＤＡ、携帯電話機、携帯用テレビ、携帯用ラジオ等の電子機器のいずれとも置換可能である。
ストラップ本体１３は、外部電気機器２の一例である。
外部電気機器２は、パソコン、記憶機器（ハードディスク、フラッシュメモリ）、表示機器（テレビ、液晶画面）、電飾アクセサリ、入力機器（マウス、キーボード）、カメラ、ＬＡＮ接続端子、携帯電話機、温熱機器、扇風機、防犯ブザー、等であって良い。
つまり、外部電気機器２は、電力が必要、又は、信号を送受信可能である機器であればどのようなものであってもよい。
さらに、外部電気機器２は、全く電力又は信号を送受信可能としない単なるストラップとも置換可能である。
【００１３】
携帯型ゲーム機１には、ストラップ取付部３が設けられている。
このストラップ取付部３は、携帯型ゲーム機１において、紐及び紐につるされた各種の物がぶら下がっていても、特段、ユーザが邪魔に思わない位置に設けられる。
たとえば、図１の様に、携帯型ゲーム機１の手前側の側面の端部である。
通常、携帯電子機器を操作するユーザは、この携帯型電子機器にコードの類がついていることは、その外観の悪さ、操作性の低下等により、嫌う傾向が強い。
しかし、ストラップはユーザがわざわざ取り付ける場合も多い。このように、ストラップ取付部３の位置につりさげられるストラップは、それが存在してもユーザには邪魔なものとは認識されない傾向が強い。
そこで、本実施形態では、ストラップ取付部３に、電力供給用の端子又は情報通信用の端子を設けている。
このようにしたことによって、ユーザは、携帯電子機器に各種の付属機器を取り付けても邪魔なものと認識しない。
また、携帯電子機器に各種の付属機器はストラップ取付部３に取り付けられていることから、携帯電子機器に付属する各種の付属機器の形状をストラップの形状とすれば第３者には単なるストラップとしてしか認識できなくなり、外観を害することもない。
さらに、単に携帯電子機器を装飾するためのストラップを取り付けた場合であっても、ストラップに電力供給ができ、さらに、ストラップと携帯電子機器との間で情報通信も可能とすることができる。
このことは、ストラップと携帯電子機器との間での電力供給・情報通信、ストラップを光らせたり、一定の内容を表示させたり、記憶させたり、稼働させたりすることを可能とする。
これによって、携帯電子機器の装飾性（意匠性）をより向上させることができ、さらに、機能の向上をさせることができる。
以下に、具体的な構成について記載する。
【００１４】
図１のように、ストラップ取付部３には、筐体の内部側に穴状の空間を有している。そして、その空間を貫く円柱形状の携帯側端子部５が設けられている。
つまり、円柱形状の携帯側端子部５と、この携帯側端子部５と離間して携帯側端子部５と平行した形状の側壁部６とが形成される。そして、側壁部６が形成した空間にストラップ側コネクタ部７が収納される。
この携帯側端子部５は、円柱形状の外周部に複数の端子が設けられている。
この端子は、情報通信を行うための端子、電力供給を行うための端子等である。
携帯側端子部５は、たとえば、ＵＳＢ（Universal Serial Bus）であってよい。
【００１５】
ストラップ取付部３は、ストラップ側コネクタ部７に取り付けられる。
ストラップ取付部３がストラップ側コネクタ部７に取り付けられると、携帯側端子部５とストラップ側端子部８とが接続して、電力の供給及び情報通信が可能となる。
【００１６】
ストラップ側コネクタ部７は、ストラップコード９を通じて外部電気機器２であるストラップ本体１３と接続されている。
そして、ストラップ本体１３には、様々な情報を表示可能な液晶表示部１５及びＬＥＤ表示部１７が設けられている。
もっとも、液晶表示部１５及びＬＥＤ表示部１７は、ストラップ本体に設けられる電子部品の例であり、その他の電子部品であってもよい。たとえば、その他の電子部品は、通信用のアンテナ、メモリ等であってよい。
【００１７】
図２は、本実施形態の制御系を説明するブロック図である。
【００１８】
図２に示されるように、携帯型ゲーム機１は、制御・処理の中枢である制御部２７と、電源制御部２５と、操作部２９と、音声入出力部３１と、表示部３３と、記憶部２３、ＵＳＢインターフェース２１のそれぞれが、アドレス、データ、コントロールのためのラインが複数本からなるシステムバス３５に共通に接続され、構成される。
【００１９】
電源制御部２５は、携帯型ゲーム機１が携帯して使用されている場合には、携帯型ゲーム機１内の、表示部３３及び制御部２７等が実装される回路基板等へのバッテリ３７からの電力の供給を制御している。
また、充電時には充電回路を制御して、バッテリ３７への充電開始及び停止、並びに充電の速度等を制御している。
【００２０】
操作部２９は、押圧等されることによって入力されるユーザの指示を受け付ける。
操作部２９は、ボタン等から構成される。
そして、これらのキーがユーザによって操作された場合に、その操作内容に対応する信号を発生し、これをユーザの指示として制御部２７に出力する。
【００２１】
音声入出力部３１は、スピーカから出力される音声信号やマイクロフォンにおいて入力される音声信号の入出力処理を行う。
すなわち、音声入出力部３１は、マイクロフォンから入力された音声を増幅し、アナログ／デジタル変換を行い、更に符号化等の信号処理を施し、デジタルの音声データに変換して制御部２７に出力する。
また、音声入出力部３１は、制御部２７から供給される音声データに復号化、デジタル／アナログ変換、増幅等の信号処理を施し、アナログの音声信号に変換してスピーカに出力する。
【００２２】
表示部３３は、例えばＬＣＤやＯＬＥＤ（Organic light-emitting diode（有機ＥＬ））を用いて構成されており、制御部２７から供給される映像信号に応じた画像を表示する。
【００２３】
記憶部２３では、携帯型ゲーム機１の各種処理に利用される各種データを記憶する。
記憶部２３は、例えば制御部２７が実行するコンピュータのプログラム（オペレーティングシステム、アプリケーションプログラム等）、ユーザ情報等が記憶される。
【００２４】
なお、記憶部２３は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２５】
ＵＳＢインターフェース２１は、携帯側端子部５がストラップ側コネクタ部７と接続した場合に、情報信号のやり取りを行うための窓口としての役割を有している。
また、携帯側端子部５には、バッテリ３７から電力の供給がなされる。
この携帯側端子部５にストラップ側コネクタ部７が接続される。
そして、ストラップ側コネクタ部７は、ストラップコード９と接続される。
ストラップコード９は、ストラップ本体１３と物理的に接続されている。
また、ストラップコード９は、ストラップ側インターフェース３９と電気的に接続されている。
ストラップ側インターフェース３９は、ストラップ側制御部４１と接続されている。
ストラップ側制御部４１は、ストラップ本体１３の表示、記憶等の装置（液晶表示部１５、ＬＥＤ表示部１７）等を制御する。
【００２６】
制御部２７は、携帯型ゲーム機１の全体的な動作を統括的に制御する。
すなわち、制御部２７は、携帯型ゲーム機１の各種処理（各種演算処理等）が操作部２９の操作に応じて適切な手順で実行されるように、上述した各ブロックの動作（表示部３３における画像の表示等）を制御する。
さらに、制御部２７は、記憶部２３に格納されるプログラムに基づいて処理を実行するコンピュータ（マイクロプロセッサ）を備えており、このプログラムにおいて指示された手順に従って上述した処理を実行する。
すなわち、制御部２７は、記憶部２３に格納されるオペレーティングシステムやアプリケーションプログラム等のプログラムから命令コードを順次受け取って処理を実行する。
【００２７】
制御部２７は、ストラップ本体１３のストラップ側コネクタ部７が接続した場合には、ストラップ本体１３のストラップ側制御部４１と、ストラップ側コネクタ部７、携帯側端子部５を介して情報通信を行う。
そして、制御部２７は、必要に応じて、一定のプログラムの実行を行って表示部３３に一定の表示を行う。
さらに、制御部２７はストラップ本体１３に一定の表示等を行わせてもよい。
さらに、制御部２７は電源制御部２５を制御して、バッテリ３７からストラップ本体１３に供給される電力を制御する。
【００２８】
図３は、携帯側端子部５とストラップ側端子部８との接続方法の説明図である。
図３（ａ）は、側面方向の説明図であり、図３（ｂ）は、正面方向からの説明図であり、図３（ｃ）は、断面の説明図である。
【００２９】
図３（ｂ）のように、ストラップ側コネクタ部７は鉤型の形状を有している。
ストラップ側コネクタ部７は、直線状に形成される直線状部分と、一定の点を中心にカーブした曲線状部分とを有する。
このような形状としたことによって、携帯側端子部５と把持状態で接続される。
曲線状部分の中心には、携帯側端子部５を収容する収容部が形成されている。
この収容空間に携帯側端子部５が挿入される。
そして、この収容空間に挿入された携帯側端子部５が、この収納空間から外れることを防ぐために係止具４５が設けられている。
この係止具４５は、軸を中心に回転可能に形成され、図示されていないがばね等の弾性部材によって収納空間側とは逆側（図３（ｂ）では反時計回り方向）に付勢されている。
なお、図３で示されるストラップ側コネクタ部７の形状は図１で示された形状とは異なるが、ストラップ側コネクタ部７の形状は、携帯型ゲーム機１のストラップ取付部３に適合するものであればどのようなものであってもよいことの表れである。
携帯側端子部５は、複数の携帯側端子４７を有している。
携帯側端子４７は、たとえば、２つの電源端子と２つの通信端子から構成される。
そして、たとえば、第１電源端子、第１情報端子、第２情報端子、第２電源端子という順に配置する。
ここで、第１電源端子及び第２電源端子はバッテリ３７から電力が供給される。
また、第１情報端子及び第２情報端子を介して、携帯型ゲーム機１とストラップとの間で情報信号がやり取りされる。
【００３０】
また、収納空間には、ストラップ側端子４３が突出している。
そして、収納空間に携帯側端子部５が挿入されている場合には、このストラップ側端子４３の弾性によって携帯側端子部５の複数の携帯側端子４７が、このストラップ側端子４３に押しつけられる。
【００３１】
図３（ａ）のように、携帯側端子部５は円柱状の形状を有している。そして、その円柱の側面に複数の携帯側端子４７が設けられている。
収納空間に携帯側端子部５が挿入されると、係止具４５の弾性によって、この複数の携帯側端子４７はこのストラップ側端子４３に押しつけられる。
そして、複数の携帯側端子４７がストラップ側端子４３に接触することによって、ストラップと携帯型ゲーム機１とは電気的に連結され、電力供給、情報通信が可能となる。
また、携帯側端子部５の内部に信号線が配線されており、この複数の携帯側端子４７とＵＳＢインターフェース２１を介して制御部２７を電気的に接続している。
【００３２】
図４は、図３のストラップ側コネクタ部７を携帯側端子部５に取り付ける方法の説明図である。
【００３３】
まず、図４（ａ）のように、係止具４５を時計回りに回転させる。
それによって、収納空間の解放部分に、携帯側端子部５が挿入可能な空間が開く。次に、図４（ｂ）のように、携帯側端子部５をその空間を通して、収納空間に挿入する。
そして、携帯側端子部５が完全に収納空間に収納されると、係止具４５は反時計回りに回転可能となる空間が形成され、その形成された空間を通過して係止具４５は時計回りに回転する前の状態に復帰する。
また、携帯側端子部５が完全に収納空間に収納されると、携帯側端子部５の携帯側端子４７は、ストラップ側端子４３と接続状態となる。
なお、ストラップ側端子４３は一定の弾性を有していることから、係止具４５の方向に常に付勢している。この付勢力によって、携帯側端子部５はストラップ側端子４３と常に接続状態となっている。
【００３４】
＜第２の実施の形態＞
図５は、第２の実施の形態の説明図である。
【００３５】
第２の実施の形態では、図５のように、携帯側端子部５の形状が図４の場合と異なっている。
具体的には、携帯側端子４７が形成される円筒の直径を異ならせている。
つまり、携帯側端子部５には４つの携帯側端子４７が形成されるが、４つの携帯側端子４７のうち、中央部の２つの携帯側端子４７が形成されている円筒の直径を、外側の２つの携帯側端子４７の直径よりも大きく形成する。
このように形成することによって、ストラップ側コネクタ部７と携帯側端子部５とが、携帯側端子部５の軸方向に相対移動することを防ぐことができる。
【００３６】
なお、直径の大きい携帯側端子４７の位置は、中央付近である必要はない。
たとえば、中央付近に直径の小さい携帯側端子４７を配置し、外側に直径の大きい携帯側端子４７を配置してもよい。
さらに、直径の大きい携帯側端子４７、小さい携帯側端子４７、直径の大きい携帯側端子４７、小さい携帯側端子４７という風に、互い違いに配置することも可能である。
このようにすると、逆方向には、ストラップ側コネクタ部７を付けることができなくなるため、より好適である。
【００３７】
＜第３の実施の形態＞
図６は、第３の実施の形態の説明図である。
【００３８】
図３及び図５での、ストラップ側端子４３の位置は、ストラップ側コネクタ部７の直線部寄りの曲線部分であったが、その他の位置に位置していてもよい。
具体的には、図６のように、ストラップ側端子４３の位置は曲線部分の奥に位置していてもよい。
【００３９】
＜第４の実施の形態＞
図７は、ストラップ側コネクタ部７とストラップ取付部３との他の取付方法の説明図である。
【００４０】
図７は、ストラップ取付部３の穴が、携帯型ゲーム機１の一つの面から入り他の面から出る形状でのストラップ取付部３の断面図である。
図７のように、ストラップ本体１３からは電力及び信号を入出力するためのストラップコード９と、これとは別に、これらの機能を持たない紐部１１とが接続されている。
この紐部１１は、電気的な機能はなくもっぱら機械的にストラップ本体１３を携帯型ゲーム機１に結合する。
この紐部１１は、携帯型ゲーム機１に設けられたストラップ取付部３に取り付けられて、ストラップ本体１３を携帯型ゲーム機１に連結する。
ストラップ取付部３は、紐部１１が貫通することが可能であるように形成されている。
携帯型ゲーム機１のストラップ取付部３は、抜け穴構造の貫通孔が形成されている。
この貫通孔は、携帯型ゲーム機１の一側面に入口が形成されており、携帯型ゲーム機１の他の側面に出口が形成されている。
なお、この貫通孔の形状はその他の形状を有していてもよく、たとえば、携帯型ゲーム機１の同一の面に入口及び出口が形成されていてもよい。
【００４１】
ストラップコード９の先端部にはストラップ側コネクタ部７が配置されている。
このストラップ側コネクタ部７は、中心に穴が空いている円柱形状を有しており、円柱の外周表面には、複数のストラップ側端子４３が設けられている。
このストラップ側端子４３は、ストラップコード９を介してストラップ本体１３の内部の電子部品（たとえば、ＬＥＤ、制御装置、記憶装置等）と電気的に接続されている。
携帯型ゲーム機１のストラップ取付部３は、抜け穴構造の貫通孔が形成されている。
この貫通孔の入口の付近には、携帯側端子部５が形成されている。この携帯側端子部５には複数の携帯側端子４７が形成されている。
この複数の携帯側端子４７は、インターフェース信号線１９を介してＵＳＢインターフェース２１と接続されている。なお、図示していないが、この複数の携帯側端子４７の全部または一部は、バッテリ３７と接続されていてもよい。
このような構成によって、ストラップ本体１３とＵＳＢインターフェース２１とは電気的に結合しており、情報信号の入出力及び電力供給が可能である。
このことによって、ストラップ本体１３は、様々な機能を発揮することが可能となる。
また、このように構成したことによって、様々な形状のストラップ取付部３の形状に合わせることができる。
【００４２】
＜第５の実施の形態＞
図８は、第５の実施の形態の説明図である。
【００４３】
以上の方法は、ストラップ取付部３に携帯側端子部５を設け、ストラップ本体１３のストラップコード９の端にストラップ側コネクタ部７を設けて、誘電体によって情報通信及び電力供給を行っていた。
より、簡便な手段による情報通信及び電力供給を行う方法を以下記載する。
【００４４】
図８に記載された第５の実施の形態は、ストラップコード９を引誘電材料で構成して導波管として用いて、ミリ波通信及び給電を行う方法である。
そのために、携帯型ゲーム機１には携帯側ミリ波送受信部５１が設けられ、ストラップ本体１３にはストラップ側ミリ波送受信部５３が設けられる。
この携帯側ミリ波送受信部５１及びストラップ側ミリ波送受信部５３は、ミリ波を発生させて出力することによって、他方に情報通信を行う。
また、この携帯側ミリ波送受信部５１及びストラップ側ミリ波送受信部５３は、ミリ波を発生させて出力することによって、他方に電力の供給を行う。
このようにミリ波を用いることによって、ストラップ本体１３のストラップコード９の端にストラップ側コネクタ部７に特別な端子を設ける必要がなくなりより簡便な構成で、情報信号及び電力供給が可能となる。
【００４５】
以上の実施態様によれば、携帯型ゲーム機１は、筐体と、前記筐体に設けられるストラップ取付部３と、を有している。
また、ストラップ取付部３には、接続対象機器への電力供給が可能な電力供給端子、前記接続対象機器との情報信号の入出力が可能な信号入出力端子のいずれかが設けられている携帯側端子部５を含んでいる。
このように構成したことによって、携帯型ゲーム機１は、ストラップ取付部３に通信端子および電源端子を設けることができる。
これによって、ストラップ取付部３に取付られるストラップ本体１３（外部電気機器２）に電力の供給が可能となる。
そして、ストラップ本体１３（外部電気機器２）に電力の供給が可能ということは、ストラップ本体１３に様々な電子機器を搭載することが可能となる。
また、通信端子を設けることができることから、ストラップ本体１３と様々な情報通信が可能となり、ストラップ本体１３をメモリ等の電子機器として利用することが可能となる。
つまり、従来であれば、電気的な機能を持たないストラップ本体１３に、電子機器としての機能を持たせることが可能となる。
また、ストラップ取付部３の位置は、通常の使用において、何らかの機器がぶら下がっていても、ユーザに比較的邪魔にならない位置であることから、ユーザに邪魔にならずに、外部電気機器２を設けることが可能となる。
【００４６】
ストラップ取付部３は、携帯側端子部５と、携帯側端子部５と間隙を有して形成される側壁部６と、を有し、携帯側端子部５には、外周部に複数の端子が並べられて形成されている。
このような構成によって、容易に、ストラップ側コネクタ部７をストラップ取付部３に機械的及び電気的に接続することが可能となる。
【００４７】
携帯型ゲーム機１は、ストラップが接続された場合にストラップを制御可能な制御部２７を有し、携帯側端子部５の複数の端子は、制御部２７と電気的に接続されている。
このように構成したことによって、携帯型ゲーム機１はストラップ本体１３を制御することが可能となる。
【００４８】
携帯型ゲーム機１は、ストラップが接続された場合にストラップを制御可能な制御部２７を有し、携帯側端子部５は、複数の端子と制御部２７とを接続する信号線がその内部に配線されている。
このように構成したことによって、幹いた構成によって、制御部２７と携帯側端子部５とを接続することができる。
【００４９】
携帯側端子部５は、その外周面に端子の１つが形成される第１の部分と、第１の部分よりも大きく外部方向に張出しており、その外周面に前記端子の１つが形成される第２の部分と、を有する。
このような構成によってストラップ側コネクタ部７が逆に取り付けられることがなくなるという効果がある。
【００５０】
ストラップ取付部３は、携帯側端子部５と、前記筐体の第１の面から第２の面に抜ける貫通孔を形成する側壁部６と、を有している。
そして、携帯側端子部５は、第１の面側の側壁部６に形成されている。
さらに、携帯側端子部５は、側壁部６を一周する複数の端子が並べられて形成される。
このような構成によって、第１の面から第２の面に抜ける構造のストラップ取付部３に対しても、電力供給端子、信号入出力端子のいずれかを設けることができる。
【００５１】
携帯型ゲーム機１は、ストラップが接続された場合にストラップを制御可能な制御部２７を有し、携帯側端子部５の複数の端子は、制御部２７と電気的に接続されている。
このように構成したことによって、携帯型ゲーム機１はストラップ本体１３を制御することが可能となる。
【００５２】
制御部２７は、ストラップ取付部３に接続対象機器が取り付けられた際に、携帯側端子部５を介して接続対象機器と情報通信を行う。
このように構成したことによって、携帯型ゲーム機１はストラップ本体１３を制御することが可能となる。
【００５３】
携帯側端子部５は、第１の電源端子と、第２の電源端子と、第１の信号端子と、第２の信号端子と、を有する。
このように構成したことによって、ストラップ本体１３に電力を供給し、かつ、情報通信が可能となる。
【００５４】
第１の信号端子及び前記第２の信号端子を用いて前記接続対象機器と情報通信し、接続対象機器は、接続対象機器が接続した場合に、前記第１の電源端子及び前記第２の電源端子によって、接続対象機器に電力が供給される。
このように構成したことによって、ストラップ本体１３に電力を供給し、かつ、情報通信が可能となる。
【００５５】
以上の実施態様によれば、ストラップは、ストラップ本体１３と、ストラップ取付部３に形成された携帯側端子部５に把持状態となることによって、ストラップ側端子部８と携帯側端子部５とが電気的接続されるストラップ側コネクタ部７と、を有する。
そして、一端がストラップ側コネクタ部７と接続され、他端がストラップ本体１３と接続されて、ストラップ側コネクタ部７のストラップ側端子部８とストラップ本体１３の電子部品とを電気的に接続するストラップコード９と、を有する。
このように構成したことによって、携帯型ゲーム機１は、ストラップ取付部３に通信端子および電源端子を設けることができる。
これによって、ストラップ取付部３に取付られるストラップ本体１３（外部電気機器２）に電力の供給が可能となる。
そして、ストラップ本体１３（外部電気機器２）に電力の供給が可能ということは、ストラップ本体１３に様々な電子機器を搭載することが可能となる。
また、通信端子を設けることができることから、ストラップ本体１３と様々な情報通信が可能となり、ストラップ本体１３をメモリ等の電子機器として利用することが可能となる。
つまり、従来であれば、電気的な機能を持たないストラップ本体１３に、電子機器としての機能を持たせることが可能となる。
また、ストラップ取付部３の位置は、通常の使用において、何らかの機器がぶら下がっていても、ユーザに比較的邪魔にならない位置であることから、ユーザに邪魔にならずに、外部電気機器２を設けることが可能となる。
【００５６】
ストラップ側コネクタ部７は、携帯側端子部５を収容可能な収納部５５を有し、収納部５５には、携帯側端子部５に形成された携帯側端子４７と対応する位置にストラップ側端子部８が形成されている。
そして、ストラップ側端子部８は、第１の電源端子と、第２の電源端子と、第１の信号端子と、第２の信号端子と、を有する。
このように構成したことによって、ストラップ本体１３に電力を供給し、かつ、情報通信が可能となる。
【００５７】
第１の電源端子と、第２の電源端子と、第１の信号端子と、第２の信号端子の少なくとも１が形成される収納部５５の部分は、他よりも大きく形成される。
このような構成によってストラップ側コネクタ部７が逆に取り付けられることがなくなるという効果がある。
【００５８】
なお、以上の実施形態において、筐体とは、携帯電子機器を収容する容器に該当するものであればどのようなものであってもよい。さらに、容器の一部であっても筺体に該当する。
【００５９】
携帯型ゲーム機１は、本発明に置ける電子機器の一例である。
つまり、本発明における電子機器とは、携帯型ゲーム機１、ＰＤＡ、携帯電話機、携帯用テレビ、携帯用ラジオ等の電子機器である。
【００６０】
本発明は、以上の実施形態に限定されず、種々の態様で実施されてよい。
【符号の説明】
【００６１】
１…携帯型ゲーム機、２…外部電気機器、３…ストラップ取付部、５…携帯側端子部、６…側壁部、７…ストラップ側コネクタ部、８…ストラップ側端子部、９…ストラップコード、１１…紐部、１３…ストラップ本体、１５…液晶表示部、１７…ＬＥＤ表示部、１９…インターフェース信号線、２１…ＵＳＢインターフェース、２３…電源制御部、２５…記憶部、２７…制御部、２９…操作部、３１…音声入出力部、３３…表示部、３５…システムバス、３７…バッテリ、３９…ストラップ側インターフェース、４１…ストラップ側制御部、４３…ストラップ側端子、４５…係止具、４７…携帯側端子、５１…携帯側ミリ波送受信部、５３…ストラップ側ミリ波送受信部、５５…収納部
【図１】
2011109608.tif 000003
【図２】
2011109608.tif 000004
【図３】
2011109608.tif 000005
【図４】
2011109608.tif 000006
【図５】
2011109608.tif 000007
【図６】
2011109608.tif 000008
【図７】
2011109608.tif 000009
【図８】
2011109608.tif 000010